(57)【要約】【課題】簡単な構成により送気送液ノズルから流出する流体の流速及び流出方向を適切に制御可能な内視鏡装置及び送気送液ノズルを得る。【解決手段】送気送液管路２４２から流体が送られると、流体は第１の噴出管路２６３に導かれる。他方、送気送液管路２４２を流れる流体の一部が第１のバイパス管路２７３に流入して、第１の噴出管路２６３に流出する。第１のバイパス流出口２７６の直径は第１のバイパス流入口２７７よりも大きいため、流体は減速されて第１の噴出管路２６３に流出する。そして、第１の送気送液ノズル２６０を経た流れと、第１のバイパス管路２７３を経た流れとが第１の噴出管路２６３内で合流する。第１のバイパス管路２７３を経た流れは、第１の送気送液ノズル２６０を経た流体が生じる剥離領域を消滅させる。これにより、第１の送気送液ノズル２６０を経た流体が遠位端面２４９から剥離せずに、遠位端面２４９に沿って流れる。【選択図】図６
2013128660.tif 000002
【特許請求の範囲】
【請求項１】
内視鏡の遠位端面まで気体又は液体を送り、遠位端面に開口する開口部を有する送気送液管路と、
前記開口部に設けられ、前記送気送液管路が送った気体又は液体を所定の方向に向けて噴出する噴出管路と、
前記噴出管路から噴出する気体又は液体の噴出方向であって前記遠位端面に開口するバイパス流出口を有し、前記送気送液管路と前記バイパス流出口とを繋ぐバイパス管路とを備える内視鏡装置。
【請求項２】
前記バイパス管路は、前記送気送液管路と平行に延びる請求項１に記載の内視鏡装置。
【請求項３】
前記バイパス管路は、前記送気送液管路に開口するバイパス流入口を有し、前記バイパス流入口は、前記送気送液管路内を気体又は液体が流れる方向に開口する請求項１又は２に記載の内視鏡装置。
【請求項４】
前記バイパス流入口の面積は前記バイパス流出口の面積よりも小さい請求項３に記載の内視鏡装置。
【請求項５】
前記バイパス管路が延びる方向に対して直角を成す断面における前記バイパス管路の面積は、前記バイパス流入口から前記バイパス流出口に向けて大きくなる請求項４に記載の内視鏡装置。
【請求項６】
前記バイパス管路が延びる方向に対して直角を成す断面における前記バイパス管路の面積は、前記バイパス管路の所定位置から前記バイパス流出口に向けて大きくなる請求項４に記載の内視鏡装置。
【請求項７】
前記バイパス管路が延びる方向に対して直角を成す断面における前記バイパス管路の面積は、前記バイパス流出口から前記バイパス管路の所定位置まで第１の面積を有し、前記バイパス管路の所定位置から前記バイパス流出口まで前記第１の面積よりも大きい面積を有する請求項４に記載の内視鏡装置。
【請求項８】
前記バイパス管路は、前記送気送液管路に開口するバイパス流入口を有し、前記バイパス流入口は、前記送気送液管路内を気体又は液体が流れる方向に対して直角に開口する請求項１に記載の内視鏡装置。
【請求項９】
前記バイパス流入口と前記バイパス流出口は前記バイパス管路により直線的に接続される請求項３に記載の内視鏡装置。
【請求項１０】
前記バイパス流入口と前記バイパス流出口は、屈曲部を有する前記バイパス管路により接続される請求項８に記載の内視鏡装置。
【請求項１１】
前記バイパス管路が３つ設けられ、３つの前記バイパス管路のバイパス流出口は前記噴出管路の幅方向に並べられ、３つの前記バイパス口の端から端までの間隔は、前記噴出管路の幅と略等しい請求項１から１０に記載の内視鏡装置。
【請求項１２】
前記バイパス管路が延びる方向に対して直角を成す断面における前記バイパス管路の断面は長円形状を成し、前記バイパス流出口は、前記噴出管路の幅方向に延びる長円形状を有する請求項１から１０に記載の内視鏡装置。
【請求項１３】
前記バイパス管路が延びる方向に対して直角を成す断面における前記バイパス管路の断面は円形状を成す請求項１から１１に記載の内視鏡装置。
【請求項１４】
前記バイパス流出口と前記遠位端面との接続部は面取りされる請求項１から１３に記載の内視鏡装置。
【請求項１５】
内視鏡の遠位端面まで気体又は液体を送り、遠位端面に開口する開口部を有する送気送液管路に取り付けられる送気送液ノズルであって、
前記開口部に設けられ、前記送気送液管路が送った気体又は液体を所定の方向に向けて噴出する噴出管路と、
前記噴出管路から噴出する気体又は液体の噴出方向であって前記遠位端面に開口するバイパス流出口を有し、前記送気送液管路と前記バイパス流出口とを繋ぐバイパス管路とを備える送気送液ノズル。
【発明の詳細な説明】
【技術分野】
【０００１】
本発明は、内視鏡の先端部に設けられて流体を噴出する送気送液ノズル及びこの送気送液ノズルを備える内視鏡装置に関する。
【背景技術】
【０００２】
内視鏡装置は、被験者の体内に挿入される内視鏡と被験者の体外に設けられて画像処理を行うプロセッサとを備える。内視鏡の遠位端には、観察対象物からの反射光を取り入れる観察窓と、観察窓に向けて流体を噴出する送気送液ノズルが取り付けられる。ユーザは、送気送液ノズルから流体を噴出して観察窓に付着した異物を除去、すなわち洗浄する。
【０００３】
観察窓に付着した異物を適切に除去するためには、送気送液ノズルから流出する流体の流速及び流出方向を適切に制御しなければならない。流速及び流出方向を適切に制御するため、流体の流出方向と平行に整流用隔壁を設ける構成（特許文献１）、及び送気送液ノズルの噴出口の断面積を変化させる可動絞り部を設けた構成（特許文献２）が提案されている。
【先行技術文献】
【特許文献】
【０００４】
【特許文献１】特開２００７−２４４７９６号公報
【特許文献２】特開２００４−２９０４５７号公報
【発明の概要】
【発明が解決しようとする課題】
【０００５】
内視鏡の先端部は人体内に挿入されるため極めて細い径を有する。そのため、送気送液ノズルの大きさは極めて小さくしなければならない。このように小さい送気送水ノズルの噴出口に特許文献１に記載の整流用隔壁を設けることは、困難かつ高価になる傾向があり、また整流用隔壁は薄く小さくなるため、流体によって破損しやすくなる。破損した整流用隔壁が人体内に流出すると、人体の組織を傷つける恐れが生じる。同様に、送気送水ノズルの噴出口に特許文献２に記載の可動絞り部を設けることは、困難かつ高価になる傾向があり、また複雑かつ極小の構造は故障確率が高くなる傾向がある。
【０００６】
本発明はこれらの問題に鑑みてなされたものであり、簡単な構成により送気送液ノズルから流出する流体の流速及び流出方向を適切に制御可能な内視鏡装置及び送気送液ノズルを得ることを目的とする。
【課題を解決するための手段】
【０００７】
本願第１の発明による内視鏡装置は、内視鏡の遠位端面まで気体又は液体を送り、遠位端面に開口する開口部を有する送気送液管路と、開口部に設けられ、送気送液管路が送った気体又は液体を所定の方向に向けて噴出する噴出管路と、噴出管路から噴出する気体又は液体の噴出方向であって遠位端面に開口するバイパス流出口を有し、送気送液管路とバイパス流出口とを繋ぐバイパス管路とを備えることを特徴とする。
【０００８】
バイパス管路は、送気送液管路と平行に延びてもよい。
【０００９】
バイパス管路は、送気送液管路に開口するバイパス流入口を有し、バイパス流入口は、送気送液管路内を気体又は液体が流れる方向に開口してもよい。
【００１０】
バイパス流入口の面積はバイパス流出口の面積よりも小さいことが好ましい。
【００１１】
バイパス管路が延びる方向に対して直角を成す断面におけるバイパス管路の面積は、バイパス流入口からバイパス流出口に向けて大きいことが好ましい。
【００１２】
バイパス管路が延びる方向に対して直角を成す断面におけるバイパス管路の面積は、バイパス管路の所定位置からバイパス流出口に向けて大きくなってもよい。
【００１３】
バイパス管路が延びる方向に対して直角を成す断面におけるバイパス管路の面積は、バイパス流出口からバイパス管路の所定位置まで第１の面積を有し、バイパス管路の所定位置からバイパス流出口まで第１の面積よりも大きい面積を有してもよい。
【００１４】
バイパス管路は、送気送液管路に開口するバイパス流入口を有し、バイパス流入口は、送気送液管路内を気体又は液体が流れる方向に対して直角に開口してもよい。
【００１５】
バイパス流入口とバイパス流出口はバイパス管路により直線的に接続されてもよい。
【００１６】
バイパス流入口とバイパス流出口は、屈曲部を有するバイパス管路により接続されてもよい。
【００１７】
バイパス管路が３つ設けられ、３つのバイパス管路のバイパス流出口は噴出管路の幅方向に並べられてもよく、この場合、３つのバイパス口の端から端までの間隔は、噴出管路の幅と略等しい。
【００１８】
バイパス管路が延びる方向に対して直角を成す断面におけるバイパス管路の断面は長円形状を成してもよい。この場合、バイパス流出口は、噴出管路の幅方向に延びる長円形状を有する。
【００１９】
バイパス管路が延びる方向に対して直角を成す断面におけるバイパス管路の断面は円形状であることが好ましい。
【００２０】
バイパス流出口と遠位端面との接続部は面取りされてもよい。
【００２１】
本願第２の発明による送気送液ノズルは、内視鏡の遠位端面まで気体又は液体を送り、遠位端面に開口する開口部を有する送気送液管路に取り付けられる送気送液ノズルであって、開口部に設けられ、送気送液管路が送った気体又は液体を所定の方向に向けて噴出する噴出管路と、噴出管路から噴出する気体又は液体の噴出方向であって遠位端面に開口するバイパス流出口を有し、送気送液管路とバイパス流出口とを繋ぐバイパス管路とを備えることを特徴とする。
【発明の効果】
【００２２】
本発明によれば、簡単な構成により送気送液ノズルから流出する流体の流速及び流出方向を適切に制御可能な内視鏡装置及び送気送液ノズルを得る。
【図面の簡単な説明】
【００２３】
【図１】第１の実施形態による内視鏡装置を概略的に示した図である。
【図２】内視鏡装置の遠位端面を概略的に示した図である。
【図３】図２のIII−III線における遠位端部の端面図である。
【図４】送気送液ノズルの斜視図である。
【図５】第１のリングの斜視図である。
【図６】送気送液ノズル、第１のバイパス管路、及び観察窓の端面図である。
【図７】第１のバイパス管路が設けられない場合における、流体の圧力分布を示したコンター図である。
【図８】送気送液ノズルが噴出する流体の圧力分布を示したコンター図である。
【図９】第２の実施形態による送気送液ノズル、第１のバイパス管路、及び観察窓の端面図である。
【図１０】第３の実施形態による送気送液ノズル、第１のバイパス管路、及び観察窓の端面図である。
【図１１】第４の実施形態による送気送液ノズル、第１のバイパス管路、及び観察窓の端面図である。
【図１２】第５の実施形態による送気送液ノズル及び第１のバイパス管路の端面図である。
【図１３】送気送液ノズルが噴出する流体の圧力分布を示したコンター図である。
【図１４】第６の実施形態による送気送液ノズル、バイパス管路、及び観察窓の端面図である。
【図１５】送気送液ノズルの斜視図である。
【図１６】第７の実施形態による送気送液ノズル及びバイパス管路の端面図である。
【図１７】送気送液ノズルが噴出する流体の圧力分布を示したコンター図である。
【図１８】第８の実施形態による送気送液ノズル及びバイパス管路の端面図である。
【図１９】第９の実施形態による送気送液ノズル及びバイパス管路の端面図である。
【図２０】第１０の実施形態による送気送液ノズル及びバイパス管路の端面図である。
【図２１】第１１の実施形態による送気送液ノズル及びバイパス管路の端面図である。
【図２２】図２１のXXI−XXI線における遠位端部の端面図である。
【図２３】第１２の実施形態による送気送液ノズル及びバイパス管路の、図２０のXXI−XXI線における遠位端部の端面図である。
【図２４】第１３の実施形態による送気送液ノズル及びバイパス管路の、図２０のXXI−XXI線における遠位端部の端面図である。
【発明を実施するための形態】
【００２４】
本発明の第１の実施形態による内視鏡装置１００について図１から８を用いて説明する。
【００２５】
図１は、内視鏡装置１００のブロック図である。内視鏡装置１００は、被験者の体内に挿入される内視鏡２００と、被験者の体外に設けられて画像処理を行うプロセッサ３００とを主に備える。
【００２６】
内視鏡２００は、被験者の体内に挿入される挿入部２４０と、術者が保持する操作部２２０と、内視鏡２００とプロセッサ３００とを接続するコネクタ２１０とを主に備える。ユニバーサルケーブル２３０がコネクタ２１０と操作部２２０とを接続する。
【００２７】
コネクタ２１０は、給気口２１１、給液口２１２、及び負圧供給口２１３を有する。給気口２１１及び給液口２１２には、給気給液タンクから延びる給気給液コネクタが接続され、給気口２１１に気体、例えば空気を、給液口２１２に液体、例えば水を供給する。これらの空気及び水は、所定の圧力まで加圧されている。負圧供給口２１３には、負圧ポンプから延びる負圧コネクタが接続されて負圧が加えられる。給気給液タンク、給気給液コネクタ、負圧ポンプ、及び負圧コネクタは図示されない。
【００２８】
気体流入管路２３１が給気口２１１からコネクタ２１０内部及びユニバーサルケーブル２３０を経て操作部２２０まで延びる。同様に、給液口２１２から液体流入管路２３２が、負圧供給口２１３から負圧管路２３３が、操作部２２０まで各々延びる。
【００２９】
操作部２２０は、鉗子を挿入、又は薬剤を注入するための鉗子挿入口２２２と、送気送液スイッチ１１０と、吸引スイッチ１５０とを備える。
【００３０】
送気送液スイッチ１１０には、コネクタ２１０から延びる気体流入管路２３１及び液体流入管路２３２と、挿入部２４０から延びる送気送液管路２４２及び気体流出管路２２１とが接続される。気体流出管路２２１は、挿入部２４０の遠位端付近で送気送液管路２４２と接続される。送気送液スイッチ１１０は、その進退方向に延びる孔を備え、孔は気体流入管路２３１及び送気送液管路２４２に接続される。ユーザが孔を塞がないとき、気体は、気体流入管路２３１から孔を経て周囲に放出される。ユーザが孔を塞ぐと、気体は、気体流入管路２３１から気体流出管路２２１を経て送気送液管路２４２に導かれる。送気送液スイッチ１１０をユーザが押圧すると、液体が液体流入管路２３２から第１の送気送液口２４３に導かれる。これにより、挿入部２４０の遠位端部２４６に設けられた第１の送気送液口２４３から液体又は気体が噴出する。
【００３１】
吸引スイッチ１５０には、コネクタ２１０から延びる負圧管路２３３が接続される。吸引スイッチ１５０は一段スイッチであって、ユーザが押圧すると、負圧が負圧管路２３３から吸入管路２４１に導かれる。これにより、挿入部２４０の遠位端部２４６に設けられた吸入口２４５から異物等が吸入される。
【００３２】
吸入管路２４１から分岐した鉗子管路２２３が鉗子挿入口２２２に接続される。鉗子管路２２３を介して流れて来る気体、液体、異物等が鉗子挿入口２２２から外部に流出しないように、スリットが入った図示しない鉗子栓が鉗子挿入口２２２に装着される。
【００３３】
挿入部２４０の遠位端部２４６は、円柱形状であって、その先端に円形の遠位端面２４９を有する。ＣＣＤユニット２５０、吸入口２４５、及び第１の送気送液口２４３は、遠位端面２４９から露出するように、遠位端部２４６に設けられる。第１の送気送液口２４３には、挿入部２４０の内部を操作部２２０から延びる送気送液管路２４２が取り付けられ、第１の送気送液口２４３の開口部には、第１の送気送液ノズル２６０が取り付けられる。吸入口２４５には、挿入部２４０の内部を操作部２２０から延びる吸入管路２４１が接続される。ＣＣＤユニット２５０は、観察対象物を撮像して、信号ケーブル２４７を介して撮像信号をプロセッサ３００に送信する。
【００３４】
プロセッサ３００は、図示しない照明用ファイバを介して照明レンズ２４４に照明光を送り、あるいは撮像信号を受信して、図示しない表示装置に画像を表示する。
【００３５】
次に、図２を用いて遠位端部２４６について説明する。図２は、内視鏡２００の遠位端面２４９をその軸方向から見た図である。
【００３６】
遠位端面２４９には、観察窓２５１、２つの照明レンズ２４４、吸入口２４５、及び第１の送気送液ノズル２６０が主に露出する。観察窓２５１はＣＣＤユニット２５０に取り付けられ、遠位端部２４６から外部に露出する。２つの照明レンズ２４４は、観察窓２５１の両側に配され、プロセッサ３００から送られる照明光を観察対象物に対して照射する。第１の送気送液ノズル２６０は、その開口が観察窓２５１に向くように、接着剤及び第１のリング２７０によって第１の送気送液口２４３に取り付けられる。
【００３７】
次に、図３を用いてＣＣＤユニット２５０の構成について説明する。ＣＣＤユニット２５０は、先端に設けられる凹レンズである観察窓２５１と、観察対象物を撮像する撮像素子であるＣＣＤ２５６と、ＣＣＤ２５６の周辺回路が形成される基板２５７とを主に備え、これらの部材はケーシング２５８に納められる。
【００３８】
観察窓２５１の後端には、観察窓２５１から入射した光の光量及び被写界深度を調整する絞り板２５２が設けられる。絞り板２５２の後端には、対物レンズ２５３が設けられ、ＣＣＤ２５６に被写体像を結像させる。対物レンズ２５３とＣＣＤ２５６との間には、遮光マスク２５４及びカバーガラス２５５が設けられる。遮光マスク２５４は、鏡筒内の乱反射などが撮影画像に対して与える影響を抑制する。
【００３９】
次に、図３を用いて第１の送気送液口２４３の構成について説明する。第１の送気送液口２４３は円筒形状を有し、遠位端面２４９に開口する。第１の送気送液口２４３は、送気送液管路２４２と同軸に接続される。第１の送気送液口２４３の直径は、送気送液管路２４２の直径よりも大きい。第１のリング２７０の外直径は第１の送気送液口２４３の内直径よりもわずかに短く、第１のリング２７０の軸方向長さは第１の送気送液口２４３の軸方向長さと等しい。そのため、第１のリング２７０は第１の送気送液口２４３内に隙間なく嵌合する。
【００４０】
図４を用いて第１の送気送液ノズル２６０の形状について説明する。第１の送気送液ノズル２６０は、第１の挿入管部２６１と第１の蓋部２６２とから構成される。第１の挿入管部２６１は、円筒の一部を軸に対して平行な平面で切除した形状であって、筒の軸に対して直角な断面においてＣ字形状を成す。第１の挿入管部２６１の外側面の形状は、送気送水口と略同じである。第１の挿入管部２６１の端部に、第１の蓋部２６２が取り付けられる。第１の蓋部２６２は、ドーム形状を有する。ドーム形状の頂部は、第１の挿入管部２６１の軸方向に潰されて、平面を成す。ドーム形状の内側面が第１の挿入管部２６１の内側面と連続するように接続される。第１の蓋部２６２の内側面から外側面に向けて貫通する第１の噴出管路２６３が設けられる。第１の噴出管路２６３は、第１の挿入管部２６１の軸に対して直交方向に延びる。
【００４１】
図５を用いて第１のリング２７０の形状について説明する。第１のリング２７０は、略円筒形状を有し、軸方向に貫通する第１のリング内周２７２及び第１のバイパス管路２７３を有する。円筒の外周は第１のリング外周２７１を成し、第１のリング外周２７１は、円筒の軸方向に直角な断面において円形状を成す。第１のリング内周２７２は、軸方向に直角な断面においてＤ形状を成す。第１のバイパス管路２７３は、管状を有し、遠位端面２４９側に配される第１の拡大部２７４と、第１の拡大部２７４から延びる第１の導入部２７５とから成る。第１の拡大部２７４及び第１の導入部２７５は、円筒の軸方向に直角な断面において円形状を成す。第１の拡大部２７４の直径は、遠位端面２４９から第１の導入部２７５まで線形に小さくなり、第１の導入部２７５との接続部分において第１の導入部２７５の直径と同じ長さになる。第１の導入部２７５の直径は、全長に渡って同じ長さである。第１のリング２７０は、射出成形法、特に金属粉末射出成形法等の加工手段により作成される。
【００４２】
図６を用いて、第１の送気送液ノズル２６０と第１のリング２７０とを遠位端部２４６に取り付けた状態について説明する。第１の送気送液口２４３に第１のリング２７０が挿入され、第１のリング内周２７２に第１の挿入管部２６１が挿入される。第１の挿入管部２６１の外曲面が、第１のリング内周２７２の曲面と接触する。第１の挿入管部２６１の軸方向長さは、第１のリング２７０の軸方向長さよりも長く、第１の挿入管部２６１は、第１のリング内周２７２及び送気送液管路２４２と係合する。第１のリング２７０の遠位端面２４９側の端面は、第１の噴出管路２６３の一部を形成する。第１のバイパス管路２７３は、送気送液管路２４２及び第１の噴出管路２６３に開口して、送気送液管路２４２と第１の噴出管路２６３とを接続する。送気送液管路２４２における開口を第１のバイパス流入口２７７といい、第１の噴出管路２６３における開口を第１のバイパス流出口２７６という。第１の送気送液口２４３は、ＣＣＤ２５６の画角内に入らない程度の距離を確保しながら観察窓２５１から離れて設けられる。
【００４３】
図２を参照すると、第１の噴出管路２６３は観察窓２５１に向けて開口する。そして、第１のバイパス流出口２７６は、第１の噴出管路２６３と観察窓２５１とを繋ぐ線Ｉ上に開口する。
【００４４】
次に、図６を用いて送気送液管路２４２から第１の送気送液ノズル２６０及び第１のバイパス管路２７３に送られる気体又は液体の流れについて説明する。
【００４５】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第１のバイパス流入口２７７から第１のバイパス管路２７３に流入して、第１のバイパス流出口２７６から第１の噴出管路２６３に流出する。第１のバイパス流出口２７６の直径は、第１のバイパス流入口２７７よりも大きいため、流体の流速が減速される。減速された流体は、第１のバイパス流出口２７６から第１の噴出管路２６３に流出する。そして、第１の送気送液ノズル２６０を経た流れと、第１のバイパス管路２７３を経た流れとが第１の噴出管路２６３内で合流する。第１のバイパス管路２７３を経た流れは減速されているため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００４６】
次に、図７及び８を用いて、第１の実施形態による内視鏡装置１００の効果について説明する。
【００４７】
図７は、第１のバイパス管路２７３を設けない場合における、第１の噴出管路２６３の周辺の圧力分布をラインコンター図により示す。このラインコンター図は、図２のＩＩＩ−ＩＩＩ線による断面上の圧力を示している。線７１における圧力は１０１．０ｋＰａであり、線７２における圧力は１０１．２ｋＰａであり、線７３における圧力は１０１．４ｋＰａであり、線７４における圧力は１０１．６ｋＰａであり、線７５における圧力は１０１．８ｋＰａである。つまり、第１の送気送液ノズル２６０外側の領域Ａの圧力よりも、線７２により囲まれる領域Ｂの圧力の方が低くなる。そのため、領域Ａから領域Ｂに向けた強い流れが生じる。これにより、第１の送気送液ノズル２６０の外側にある水などの液体が、第１の送気送液ノズル２６０から流出した気体に引き込まれる。引き込まれた水などの液体は、第１の噴出管路２６３から噴出する気体に運ばれて、観察窓２５１に付着する。そのため、第１の噴出管路２６３周辺の液体がなくなるまで、観察窓２５１から液体を除去することができない。
【００４８】
図８は、第１のバイパス管路２７３を設けた場合における、第１の噴出管路２６３の周辺の圧力分布をラインコンター図により示す。このラインコンター図は、図２のＩＩＩ−ＩＩＩ線による断面上の圧力を示している。線８１における圧力は１０１．０ｋＰａであり、線８２における圧力は１０１．２ｋＰａであり、線８３における圧力は１０１．４ｋＰａであり、線８４における圧力は１０１．６ｋＰａであり、線８５における圧力は１０１．８ｋＰａである。つまり、第１の送気送液ノズル２６０外側の領域Ａよりも圧力が低い領域が第１の噴出管路２６３の周囲に生じない。そのため、領域Ａから第１の噴出管路２６３の周囲に向けた流れが生じない。これにより、第１の送気送液ノズル２６０の外側にある液体は、第１の送気送液ノズル２６０から流出した気体に引き込まれない。よって、観察窓２５１に液体を吹き付けることなく、迅速に観察窓２５１に付着した液体や異物を迅速に除去することができる。
【００４９】
本実施形態によれば、簡単で安価、かつ小型の構成により、第１の送気送液ノズル２６０を経た流体が生じる剥離領域を消滅させ、第１の送気送液ノズル２６０を経た流体を遠位端面２４９に沿って流すことができる。そして、観察窓２５１に液体を吹き付けることなく、迅速に観察窓２５１に付着した液体や異物を迅速に除去することができる。
【００５０】
また、送気送液管路２４２を流れる流体の速度が速いときであっても、第１の送気送液ノズル２６０を経た流体を遠位端面２４９に沿って流すことができる。
【００５１】
なお、送気送液管路２４２を流れる流体の速度に応じて、第１のバイパス管路２７３、第１のバイパス流入口２７７、及び第１のバイパス流出口２７６の直径を調節することにより、第１の送気送液ノズル２６０を経た流体が生じる剥離領域を消滅させることができる。
【００５２】
図９を用いて、第２の実施形態について説明する。本実施形態では、第２のバイパス管路３７３の形状が第１の実施形態による第１のバイパス管路２７３と異なる。よって、第２のバイパス管路３７３の形状について、以下に説明する。第１の実施形態と同様の構成については、同じ符号を付して説明を省略する。
【００５３】
第２のバイパス管路３７３は第２のリング３７０に設けられる。第２のリング３７０における第２のバイパス管路３７３の位置は、第１のバイパス管路２７３と同様であるため説明を省略する。第２のバイパス管路３７３は、送気送液管路２４２から遠位端面２４９まで延びる円筒管形状を有し、円筒の軸方向に直角な断面において円形状を成す。第２のバイパス管路３７３において、送気送液管路２４２に開口する部位は、第２のバイパス流入口３７７を成し、遠位端面２４９に開口する部位は、第２のバイパス流出口３７６を成す。第２のバイパス管路３７３の軸方向に直角な断面における直径は、第２のバイパス流入口３７７から第２のバイパス流出口３７６まで線形に長くなる。すなわち、第２のバイパス管路３７３の直径は、第２のバイパス流入口３７７から第２のバイパス流出口３７６まで連続的に拡大する。
【００５４】
次に、送気送液管路２４２から第１の送気送液ノズル２６０及び第２のバイパス管路３７３に送られる気体又は液体の流れについて説明する。
【００５５】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第２のバイパス流入口３７７から第２のバイパス管路３７３に流入する。第２のバイパス管路３７３の直径は、第２のバイパス流入口３７７から第２のバイパス流出口３７６まで連続的に拡大するため、流体の流速が減速される。減速された流体は、第２のバイパス流出口３７６から第１の噴出管路２６３に流出する。そして、第１の送気送液ノズル２６０を経た流れと、第２のバイパス管路３７３を経た流れとが第１の噴出管路２６３内で合流する。第２のバイパス管路３７３を経た流れは減速されているため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００５６】
本実施形態によれば、第１の実施形態と同様の効果を得るとともに、送気送液管路２４２を流れる流体の速度が速いときであっても、第２のバイパス流出口３７６から流出する流体の速度を調節して、第１の送気送液ノズル２６０を経た流体を遠位端面２４９に沿って流すことができる。
【００５７】
図１０を用いて、第３の実施形態について説明する。本実施形態では、第３のバイパス管路４７３の形状が第１のバイパス管路２７３と異なる。よって、第３のバイパス管路４７３の形状について、以下に説明する。第１の実施形態と同様の構成については、同じ符号を付して説明を省略する。
【００５８】
第３のバイパス管路４７３は第３のリング４７０に設けられる。第３のリング４７０における第３のバイパス管路４７３の位置は、第１のバイパス管路２７３と同様であるため説明を省略する。第３のバイパス管路４７３は、送気送液管路２４２から遠位端面２４９まで延びる円筒管形状を有し、円筒の軸方向に直角な断面において円形状を成す。第３のバイパス管路４７３において、送気送液管路２４２に開口する部位は、第３のバイパス流入口４７７を成し、遠位端面２４９に開口する部位は、第３のバイパス流出口４７６を成す。第３のバイパス管路４７３の軸を通る断面において、第３のバイパス流出口４７６は曲線によって面取りされる。これにより、第３のバイパス管路４７３の内側面と遠位端面２４９とが緩やかな曲線により連続的に接続される。第３のバイパス管路４７３の軸方向に直角な断面における直径は、第３のバイパス流入口４７７から第３のバイパス流出口手前まで等しい。
【００５９】
次に、送気送液管路２４２から第１の送気送液ノズル２６０及び第３のバイパス管路４７３に送られる気体又は液体の流れについて説明する。
【００６０】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第３のバイパス流入口４７７から第３のバイパス管路４７３に流入する。第３のバイパス流出口４７６は、面取りされているため、流体の流速が減速される。減速された流体は、第２のバイパス流出口３７６から第１の噴出管路２６３に流出する。そして、第１の送気送液ノズル２６０を経た流れと、第３のバイパス管路４７３を経た流れとが第１の噴出管路２６３内で合流する。第３のバイパス管路４７３を経た流れは減速されているため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００６１】
本実施形態によれば、第１の実施形態と同様の効果を得るとともに、送気送液管路２４２を流れる流体の速度が速いときであっても、第３のバイパス流出口４７６から流出する流体の速度を調節して、第１の送気送液ノズル２６０を経た流体を遠位端面２４９に沿って流すことができる。
【００６２】
なお、本実施形態において、第３のバイパス管路４７３の軸を通る断面において、第３のバイパス流出口４７６は曲線によって面取りされずに、直線によって面取りされてもよい。
【００６３】
図１１を用いて、第４の実施形態について説明する。本実施形態では、第４のバイパス管路５７３の形状が第１のバイパス管路２７３と異なる。よって、第４のバイパス管路５７３の形状について、以下に説明する。第１の実施形態と同様の構成については、同じ符号を付して説明を省略する。
【００６４】
第４のバイパス管路５７３は第４のリング５７０に設けられる。第４のリング５７０における第４のバイパス管路５７３の位置は、第１のバイパス管路２７３と同様であるため説明を省略する。第４のバイパス管路５７３は、管状を有し、遠位端面２４９側に配される第４の拡大部５７４と、第４の拡大部５７４から延びる第４の導入部５７５とから成る。第４の拡大部５７４及び第４の導入部５７５は、円筒形状であって、円筒の軸方向に直角な断面において円形状を成す。第４の拡大部５７４の直径は、第４の拡大部５７４の全長に渡って同じ長さであって、第４の導入部５７５の直径よりも大きい。第４の導入部５７５の直径は、第４の導入部５７５の全長に渡って同じ長さである。第４のバイパス管路５７３において、送気送液管路２４２に開口する部位は、第４のバイパス流入口５７７を成し、遠位端面２４９に開口する部位は、第４のバイパス流出口５７６を成す。第４のバイパス流出口５７６の直径は、第４のバイパス流入口５７７の直径よりも大きい。第４のバイパス管路５７３の軸方向に対する長さは第４のリング５７０の軸方向に対する長さと同じであり、第４の拡大部５７４の軸方向に対する長さは、第４の導入部５７５の軸方向に対する長さよりも短い。第４のリング５７０は、射出成形法、特に金属粉末射出成形法等の加工手段により作成される。
【００６５】
次に、送気送液管路２４２から第１の送気送液ノズル２６０及び第４のバイパス管路５７３に送られる気体又は液体の流れについて説明する。
【００６６】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第４のバイパス流入口５７７から第４の導入部５７５を経て、第４の拡大部５７４に流入する。第４の拡大部５７４の直径は第４の導入部５７５の直径よりも大きいため、流体の流速が減速される。減速された流体は、第４のバイパス流出口５７６から第１の噴出管路２６３に流出する。そして、第１の送気送液ノズル２６０を経た流れと、第４のバイパス管路５７３を経た流れとが第１の噴出管路２６３内で合流する。第４のバイパス管路５７３を経た流れは減速されているため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００６７】
本実施形態によれば、第１の実施形態と同様の効果を得るとともに、送気送液管路２４２を流れる流体の速度が速いときであっても、第４のバイパス流出口５７６から流出する流体の速度を調節して、第１の送気送液ノズル２６０を経た流体を遠位端面２４９に沿って流すことができる。
【００６８】
次に、図１２を用いて第５の実施形態による内視鏡装置１００について説明する。第１から第４の実施形態と同様の構成については、同じ符号を付して説明を省略する。本実施形態による内視鏡装置１００は、第１のリング２７０を設けずに、第５のバイパス管路６７３を遠位端部２４６に直接設けた点において第１の実施形態と異なる。
【００６９】
遠位端部２４６は、第２の送気送液口６４３を備える。第２の送気送液口６４３は、遠位端部２４６の軸方向に延び、軸方向に直角な断面においてＤ形状を成す略円筒形である。第２の送気送液口６４３における軸方向に直角な断面は、第２の送気送液口６４３の軸方向に対する全長に渡って同じ形状であり、送気送液管路２４２の断面よりも面積が小さい。遠位端部２４６の軸方向における第２の送気送液口６４３の長さは、第１の挿入管部２６１の軸方向長さと等しい。
【００７０】
第２の送気送液口６４３に沿って、円筒形状を有する第５のバイパス管路６７３が設けられる。第５のバイパス管路６７３の一端は、遠位端面２４９に開口して第５のバイパス流出口６７６を成し、他端は送気送液管路２４２に開口して第５のバイパス流入口６７７を成す。第５のバイパス管路６７３における軸方向に直角な断面は、第５のバイパス流入口６７７から第５のバイパス流出口６７６まで同じ円形状であり、送気送液管路２４２の断面よりも面積が小さい。遠位端部２４６の軸方向における第５のバイパス管路６７３の長さは、第１の挿入管部２６１及び第２の送気送液口６４３の軸方向長さと等しい。第５のバイパス流出口６７６が遠位端面２４９に開口する位置は、第１の実施形態と同様であるため、説明を省略する。
【００７１】
次に、送気送液管路２４２から第１の送気送液ノズル２６０及び第５のバイパス管路６７３に送られる気体又は液体の流れについて説明する。
【００７２】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第５のバイパス流入口６７７から第５のバイパス管路６７３に流入する。第５のバイパス管路６７３は、軸方向長さが十分に長く確保されているため、流体の流速が減速される。減速された流体は、第５のバイパス流出口６７６から第１の噴出管路２６３に流出する。そして、第１の送気送液ノズル２６０を経た流れと、第５のバイパス管路６７３を経た流れとが第１の噴出管路２６３内で合流する。第５のバイパス管路６７３を経た流れは減速されているため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００７３】
本実施形態によれば、第１の実施形態と同様の効果を得るとともに、送気送液管路２４２を流れる流体の速度が速いときであっても、第５のバイパス流出口６７６から流出する流体の速度を調節して、第１の送気送液ノズル２６０を経た流体を遠位端面２４９に沿って流すことができる。
【００７４】
次に、図１３を用いて、第５の実施形態による内視鏡装置１００の効果について説明する。
【００７５】
図１３は、第５のバイパス管路６７３を設けた場合における、第１の噴出管路２６３の周辺の圧力分布をラインコンター図により示す。このラインコンター図は、図２のＩＩＩ−ＩＩＩ線による断面上の圧力を示している。線８２における圧力は１０１．２ｋＰａであり、線８３における圧力は１０１．４ｋＰａであり、線８４における圧力は１０１．６ｋＰａであり、線８５における圧力は１０１．８ｋＰａである。つまり、第１の送気送液ノズル２６０外側の領域Ａよりも圧力が低い領域が第１の噴出管路２６３の周囲に略生じない。そのため、領域Ａから第１の噴出管路２６３の周囲に向けた流れが生じない。これにより、第１の送気送液ノズル２６０の外側にある液体は、第１の送気送液ノズル２６０から流出した気体に引き込まれない。よって、観察窓２５１に液体を吹き付けることなく、迅速に観察窓２５１に付着した液体や異物を迅速に除去することができる。
【００７６】
本実施形態によれば、第１の実施形態と同様の効果を得るとともに、第１のリング２７０を設ける必要が無くなるため、部品点数を減らして内視鏡装置１００のコストを削減することができる。
【００７７】
次に、図１４及び１５を用いて第６の実施形態による内視鏡装置１００について説明する。第１から第５の実施形態と同様の構成については、同じ符号を付して説明を省略する。本実施形態による内視鏡装置１００は、第１のリング２７０を設けずに、第６のバイパス管路７７３を第２の送気送水ノズル３６０に直接設けた点において第１から第５の実施形態と異なる。
【００７８】
第２の送気送水ノズル３６０の構成について説明する。第２の送気送水ノズル３６０は、第１の蓋部２６２と第２の挿入管部３６１とを有する。第１の蓋部２６２の構成は第１の実施形態と同様であるため、説明を省略する。第２の挿入管部３６１は、第３の送気送液口７４３を備える。第３の送気送液口７４３は、第２の挿入管部３６１の軸方向に延び、軸方向に直角な断面において略円形である。第３の送気送液口７４３における軸方向に直角な断面は、第３の送気送液口７４３の軸方向に対する全長に渡って同じ略円形であり、送気送液管路２４２の断面よりも面積が小さい。第３の送気送液口７４３の軸方向長さは、第２の挿入管部３６１の軸方向長さと等しい。
【００７９】
第３の送気送液口７４３に沿って、円筒形状を有する第６のバイパス管路７７３が設けられる。第６のバイパス管路７７３の一端は、第２の挿入管部３６１の遠位端面２４９側の端面に開口して第６のバイパス流出口７７６を成し、他端は送気送液管路２４２側端面に開口して第６のバイパス流入口７７７を成す。第６のバイパス管路７７３における軸方向に直角な断面は、第６のバイパス流入口７７７から第６のバイパス流出口７７６まで同じ円形状であり、送気送液管路２４２及び第３の送気送液口７４３の断面よりも面積が小さい。第６のバイパス管路７７３の軸方向長さは、第２の挿入管部３６１及び第３の送気送液口７４３の軸方向長さと等しい。
【００８０】
第６のバイパス流出口７７６が遠位端面２４９に開口する位置は、第１の実施形態と同様であるため、説明を省略する。また、送気送液管路２４２から第２の送気送液ノズル３６０及び第６のバイパス管路７７３に送られる気体又は液体の流れは、第２の実施形態と同様であるため、説明を省略する。
【００８１】
本実施形態によれば、第１及び第２の実施形態と同様の効果を得るとともに、第１のリング２７０を設ける必要が無くなるため、部品点数を減らして内視鏡装置１００のコストを削減することができる。
【００８２】
なお、第３の送気送液口７４３の軸方向に直角な断面は、第３の送気送液口７４３の軸方向の全長に渡って同じＤ形状であってもよい。
【００８３】
次に、図１６及び１７を用いて第７の実施形態による内視鏡装置１００について説明する。第１から第６の実施形態と同様の構成については、同じ符号を付して説明を省略する。第７の実施形態による内視鏡装置１００では、第５のリング６７０内に設けた第７のバイパス管路８７３の形状が第１から第６の実施形態と異なる。
【００８４】
第５のリング６７０の構成について図１６を用いて説明する。第５のリング６７０は、略円筒形状を有し、軸方向に貫通する第１のリング内周２７２及び第７のバイパス管路８７３を有する。第７のバイパス管路８７３は、円管形状を有する。第７のバイパス管路８７３の一端は、第５のリング６７０の遠位端面２４９側の端面に開口して第７のバイパス流出口８７６を成し、他端は送気送液管路２４２側端面に開口して第７のバイパス流入口８７７を成す。第７のバイパス管路８７３における軸方向に直角な断面は、第７のバイパス流入口８７７から第７のバイパス流出口８７６まで同じ円形状であり、送気送液管路２４２の断面よりも面積が小さい。第７のバイパス管路８７３の軸方向長さは、第５のリング６７０の軸方向長さと等しい。第７のバイパス流出口８７６が遠位端面２４９に開口する位置は、第１の実施形態と同様であるため、説明を省略する。
【００８５】
次に、送気送液管路２４２から第１の送気送液ノズル２６０及び第７のバイパス管路８７３に送られる気体又は液体の流れについて説明する。
【００８６】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第７のバイパス流入口８７７から第７のバイパス管路８７３に流入する。そして流体は、第７のバイパス流出口８７６から第１の噴出管路２６３に流出し、第１の送気送液ノズル２６０を経た流れと、第７のバイパス管路８７３を経た流れとが第１の噴出管路２６３内で合流する。第７のバイパス管路８７３を経た流れは、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００８７】
次に、図１７を用いて、第７の実施形態による内視鏡装置１００の効果について説明する。
【００８８】
図１７は、第７のバイパス管路８７３を設けた場合における、第１の噴出管路２６３の周辺の圧力分布をラインコンター図により示す。このラインコンター図は、図２のＩＩＩ−ＩＩＩ線による断面上の圧力を示している。線８２における圧力は１０１．２ｋＰａであり、線８３における圧力は１０１．４ｋＰａであり、線８４における圧力は１０１．６ｋＰａであり、線８５における圧力は１０１．８ｋＰａである。つまり、第１の送気送液ノズル２６０の外側領域Ａよりも圧力が低い領域が第１の噴出管路２６３の周囲に略生じない。そのため、領域Ａから第１の噴出管路２６３の周囲に向けた流れが生じない。これにより、第１の送気送液ノズル２６０の外側にある液体は、第１の送気送液ノズル２６０から流出した気体に引き込まれない。よって、観察窓２５１に液体を吹き付けることなく、迅速に観察窓２５１に付着した液体や異物を迅速に除去することができる。
【００８９】
本実施形態によれば、第１の実施形態と同様の効果を得る。
【００９０】
次に、図１８を用いて第８の実施形態による内視鏡装置１００について説明する。第１から第７の実施形態と同様の構成については、同じ符号を付して説明を省略する。本実施形態による内視鏡装置１００では、第６のリング７７０内に設けた第８のバイパス管路９７３の形状が第１から第７の実施形態と異なる。
【００９１】
第６のリング７７０の構成について説明する。第６のリング７７０は、略円筒形状を有し、軸方向に貫通する第１のリング内周２７２及び第８のバイパス管路９７３を有する。第８のバイパス管路９７３は、円管形状を有する。第８のバイパス管路９７３の一端は、第６のリング７７０の遠位端面２４９側の端面に開口して第８のバイパス流出口９７６を成し、他端は送気送液管路２４２側の端面に開口して第８のバイパス流入口９７７を成す。第８のバイパス管路９７３の軸は、第６のリング７７０の遠位端面２４９と直交しない。すなわち、第８のバイパス流入口９７７は第６のリング外周よりも第６のリング内周に近接し、第８のバイパス流出口９７６は第６のリング内周よりも第６のリング外周に近接する。第８のバイパス管路９７３の軸方向に直角な断面は、第８のバイパス流入口９７７から第８のバイパス流出口９７６まで同じ円形状であり、送気送液管路２４２の断面よりも面積が小さい。第８のバイパス管路９７３の軸方向長さは、第６のリング７７０の軸方向長さよりも長い。すなわち、第８のバイパス管路９７３は、送気送液管路２４２の軸に対し、第１の噴出管路２６３が延びる方向へ傾いている。第８のバイパス流出口９７６が遠位端面２４９に開口する位置は、第１の実施形態と同様であるため、説明を省略する。
【００９２】
次に、送気送液管路２４２から第１の送気送液ノズル２６０及び第８のバイパス管路９７３に送られる気体又は液体の流れについて説明する。
【００９３】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第８のバイパス流入口９７７から第８のバイパス管路９７３に流入する。第１の噴出管路２６３が延びる方向へ第８のバイパス管路９７３が傾いているため、第８のバイパス流出口９７６から流出した流体は、第１の噴出管路２６３から流出する流れに沿って流出する。そして、第１の送気送液ノズル２６０を経た流れと、第８のバイパス管路９７３を経た流れとが第１の噴出管路２６３内で合流する。第８のバイパス管路９７３を経た流れは、第１の噴出管路２６３から流出する流れに沿って流出するため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００９４】
本実施形態によれば、第１の実施形態と同様の効果を得るとともに、第１の送気送液ノズル２６０から流出した流体の流れを乱すことなく、第１の送気送液ノズル２６０を経た流体を遠位端面２４９に沿って流すことができる。
【００９５】
次に、図１９を用いて第９の実施形態による内視鏡装置１００について説明する。第１から第８の実施形態と同様の構成については、同じ符号を付して説明を省略する。本実施形態による内視鏡装置１００では、第７のリング８７０内に設けた第９のバイパス管路１０７３の形状が第１から第８の実施形態と異なる。
【００９６】
第７のリング８７０の構成について説明する。第７のリング８７０は、第７のリング８７０の遠位端側端面８７１から第１のリング内周２７２に貫通する第９のバイパス管路１０７３を有する。第９のバイパス管路１０７３は、遠位端側端面８７１から直角に形成される円管形状の流出管部１０７４と、第１のリング内周２７２から直角に形成される円管形状の流入管部１０７５とを有する。流入管部１０７５は、流出管部１０７４とＬ字形状を成すように接続される。流入管部１０７５と流出管部１０７４との接続部の内面は、曲面により構成される。流出管部１０７４は、遠位端側端面８７１に開口して第９のバイパス流出口１０７６を成し、流入管部１０７５は第１のリング内周２７２に開口して第９のバイパス流入口１０７７を成す。流出管部１０７４及び流入管部１０７５における軸方向に直角な断面は、全長に渡って円形状を成し、送気送液管路２４２の断面よりも面積が小さい。第９のバイパス流出口１０７６が遠位端面２４９に開口する位置は、第１の実施形態と同様であるため、説明を省略する。
【００９７】
次に、送気送液管路２４２から第１の送気送液ノズル２６０及び第９のバイパス管路１０７３に送られる気体又は液体の流れについて説明する。
【００９８】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第９のバイパス流入口１０７７から第９のバイパス管路１０７３に流入する。そして流体は、流入管部１０７５から流入管部１０７５と流出管部１０７４との接続部に流入する。流入管部１０７５と流出管部１０７４との接続部はＬ字形状を成すため、流体の流速が減速される。減速された流体は、流出管部１０７４を経て、第９のバイパス流出口１０７６から第１の噴出管路２６３に流出する。そして、第１の送気送液ノズル２６０を経た流れと、第９のバイパス管路１０７３を経た流れとが第１の噴出管路２６３内で合流する。第９のバイパス管路１０７３を経た流れは減速されているため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【００９９】
本実施形態によれば、第１の実施形態と同様の効果を得るとともに、送気送液管路２４２を流れる流体の速度が速いときであっても、第９のバイパス流出口１０７６から流出する流体の速度を調節して、第１の送気送液ノズル２６０を経た流体を遠位端面２４９に沿って流すことができる。
【０１００】
次に、図２０を用いて第１０の実施形態による内視鏡装置１００について説明する。第１から第９の実施形態と同様の構成については、同じ符号を付して説明を省略する。本実施形態による内視鏡装置１００では、第８のリング９７０内に設けた第１０のバイパス管路１１７３の形状が第１から第９の実施形態と異なる。
【０１０１】
第８のリング９７０の構成について説明する。第８のリング９７０は、第８のリング９７０の遠位端側端面９７１から第１のリング内周２７２に貫通する第１０のバイパス管路１１７３を有する。第１０のバイパス管路１１７３は、円管形状を有する。第１０のバイパス管路１１７３の一端は、第８のリング９７０の遠位端側端面９７１に開口して第１０のバイパス流出口１１７６を成し、他端は第１のリング内周２７２に開口して第１０のバイパス流入口１１７７を成す。第１０のバイパス管路１１７３の軸は、第８のリング９７０の遠位端面２４９と直交しない。第１０のバイパス管路１１７３の軸方向に直角な断面は、第１０のバイパス流入口１１７７から第１０のバイパス流出口１１７６まで同じ円形状であり、送気送液管路２４２の断面よりも面積が小さい。第１０のバイパス管路１１７３は、送気送液管路２４２の軸に対し、第１の噴出管路２６３が延びる方向へ傾いている。第１０のバイパス流出口１１７６が遠位端面２４９に開口する位置は、第１の実施形態と同様であるため、説明を省略する。
【０１０２】
次に、送気送液管路２４２から第１の送気送液ノズル２６０及び第１０のバイパス管路１１７３に送られる気体又は液体の流れについて説明する。
【０１０３】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第１０のバイパス流入口１１７７から第１０のバイパス管路１１７３に流入する。第１の噴出管路２６３が延びる方向へ第１０のバイパス管路１１７３が傾いているため、第１０のバイパス流出口１１７６から流出した流体は、第１の噴出管路２６３から流出する流れに沿って流出する。そして、第１の送気送液ノズル２６０を経た流れと、第１０のバイパス管路１１７３を経た流れとが第１の噴出管路２６３内で合流する。第１０のバイパス管路１１７３を経た流れは、第１の噴出管路２６３から流出する流れに沿って流出するため、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【０１０４】
本実施形態によれば、第１の実施形態と同様の効果を得るとともに、第１の送気送液ノズル２６０から流出した流体の流れを乱すことなく、第１の送気送液ノズル２６０を経た流体を遠位端面２４９に沿って流すことができる。さらに、第１０のバイパス流入口１１７７が第１のリング内周２７２に開口し、かつ第１０のバイパス管路１１７３が、送気送液管路２４２の軸に対し第１の噴出管路２６３が延びる方向へ傾いているため、流体が第１０のバイパス管路１１７３に流入しやすくなる。
【０１０５】
次に、図２１及び２２を用いて第１１の実施形態による内視鏡装置１００について説明する。第１から第１０の実施形態と同様の構成については、同じ符号を付して説明を省略する。本実施形態による内視鏡装置１００では、第９のリング１０７０の形状及び第１１のバイパス管路１２７３の形状が第１から第１０の実施形態と異なる。
【０１０６】
第９のリング１０７０の構成について図２１及び２２を用いて説明する。第９のリング１０７０は、円盤形状を有し、軸方向に貫通する１つの第９のリング内周１０７２及び１つの第１１のバイパス管路１２７３を有する。円盤の外周は第９のリング外周１０７１を成し、第９のリング外周１０７１は、円盤の軸方向に直角な断面において円形状を成す。第９のリング内周１０７２は、軸方向に直角な断面においてＤ形状を成す。第１１のバイパス管路１２７３は、円管形状を有する。第１１のバイパス管路１２７３の一端は、第９のリング１０７０の遠位端側端面１０７８に開口して第１１のバイパス流出口１２７６を成し、他端は送気送液管路２４２側端面に開口して第１１のバイパス流入口１２７７を成す。第１１のバイパス管路１２７３における軸方向に直角な断面は、第１１のバイパス流入口１２７７から第１１のバイパス流出口１２７６まで同じ円形状であり、送気送液管路２４２の断面よりも面積が小さい。第１１のバイパス管路１２７３の軸方向長さは、第９のリング１０７０の軸方向長さと等しい。第１１のバイパス流出口１２７６が遠位端面２４９に開口する位置は、第１の実施形態と同様であるため、説明を省略する。第９のリング１０７０は、プレス加工、フォトエッチング加工、レーザー加工、及びワイヤ放電加工等の加工手段により作成される。
【０１０７】
次に、送気送液管路２４２から第１の送気送液ノズル２６０及び第１１のバイパス管路１２７３に送られる気体又は液体の流れについて説明する。
【０１０８】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第１１のバイパス流入口１２７７から第１１のバイパス管路１２７３に流入する。そして流体は、第１１のバイパス流出口１２７６から第１の噴出管路２６３に流出し、第１の送気送液ノズル２６０を経た流れと、第１１のバイパス管路１２７３を経た流れとが第１の噴出管路２６３内で合流する。第１１のバイパス管路１２７３を経た流れは、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【０１０９】
本実施形態によれば、第１の実施形態と同様の効果を得る。また、送気送水ノズルにバイパス管路を形成する場合よりも容易に第１１のバイパス管路１２７３を形成することが出来る。
【０１１０】
図２３を用いて、第１２の実施形態について説明する。本実施形態では、第１１の実施形態による第１１のバイパス管路１２７３と同じ形状を有する第１２のバイパス管路１３７３が３本設けられる。以下、第１２のバイパス管路１３７３の形状について説明する。第１から第１１の実施形態と同様の構成については、同じ符号を付して説明を省略する。
【０１１１】
第１２のバイパス管路１３７３は第１０のリング１１７０に設けられる。３つの第１２のバイパス管路１３７３は、第１の噴出管路２６３が延びる方向に対して直角を成す直線上に並べられる。つまり、第１の噴出管路２６３の幅方向に３つの第１２のバイパス管路１３７３が並べられる。各第１２のバイパス管路１３７３の形状は、第１１のバイパス管路１２７３の形状と同様である。
【０１１２】
次に、送気送液管路２４２から第１の送気送液ノズル２６０及び第１２のバイパス管路１３７３に送られる気体又は液体の流れについて説明する。
【０１１３】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、３つの第１２のバイパス管路１３７３に流入し、３つの第１２のバイパス流出口１３７４から第１の噴出管路２６３に流出する。３つの第１２のバイパス管路１３７３が第１の噴出管路２６３の幅方向に並んでいるため、第１２のバイパス管路１３７３を経た流れが第１の噴出管路２６３の幅方向に渡って流出し、第１の送気送液ノズル２６０を経た流れと合流する。これにより、第１の噴出管路２６３の幅方向に渡り、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【０１１４】
本実施形態によれば、第１１の実施形態と同様の効果を得るとともに、第１の噴出管路２６３の幅方向に渡って、第１の送気送液ノズル２６０を経た流体を遠位端面２４９に沿って流すことができる。
【０１１５】
図２４を用いて、第１３の実施形態について説明する。本実施形態では、第１１の実施形態による第１１のバイパス管路１２７３と異なる形状を有する第１３のバイパス管路１４７３が設けられる。以下、第１３のバイパス管路１４７３の形状について説明する。第１から第１２の実施形態と同様の構成については、同じ符号を付して説明を省略する。
【０１１６】
第１３のバイパス管路１４７３は第１１のリング１２７０に設けられる。第１３のバイパス管路１４７３は、第１の噴出管路２６３の幅方向に対して延びる長円形状の断面を有する。
【０１１７】
次に、送気送液管路２４２から第１の送気送液ノズル２６０及び第１３のバイパス管路１４７３に送られる気体又は液体の流れについて説明する。
【０１１８】
送気送液管路２４２から流体が送られると、流体は第１の挿入管部２６１を経て第１の蓋部２６２の天井面に衝突し、第１の噴出管路２６３に導かれる。他方、送気送液管路２４２を流れる流体の一部が、第１３のバイパス管路１４７３に流入し、第１３のバイパス流出口１４７４から第１の噴出管路２６３に流出する。第１３のバイパス管路１４７３は第１の噴出管路２６３の幅方向に延びる長円形状であるため、第１３のバイパス管路１４７３を経た流れが第１の噴出管路２６３の幅方向に渡って流出し、第１の送気送液ノズル２６０を経た流れと合流する。これにより、第１の噴出管路２６３の幅方向に渡り、第１の送気送液ノズル２６０を経た流体を遠位端面２４９から引きはがしたり、乱したりすることなく、第１の送気送液ノズル２６０を経た流体が生じる剥離領域に流れ込んで、この剥離領域を消滅させる。これにより、第１の送気送液ノズル２６０を経た流体が遠位端面２４９から剥離せずに安定し、遠位端面２４９に沿った流体の流れが形成される。噴出した流体は、観察窓２５１に導かれ、観察窓２５１に付着した汚物等を除去する。
【０１１９】
本実施形態によれば、第１１及び１２の実施形態と同様の効果を得る。
【０１２０】
なお、いずれの実施形態においても、撮像素子はＣＣＤ２５６に限定されない。
【０１２１】
なお、いずれの実施形態においても、送気送液管路２４２、各バイパス流出口、及び各バイパス流入口の断面は、円形に限定されず、矩形、多角形、曲線で形成される形状などであっても良い。
【０１２２】
いずれの実施形態においても、バイパス流出口と遠位端面２４９との接続部は面取りされてもよい。
【符号の説明】
【０１２３】
１００  内視鏡装置
１１０  送気送液スイッチ
１５０  吸引スイッチ
２００  内視鏡
２１０  コネクタ
２１１  給気口
２１２  給液口
２１３  負圧供給口
２２０  操作部
２２１  気体流出管路
２２２  鉗子挿入口
２２３  鉗子管路
２３０  ユニバーサルケーブル
２３１  気体流入管路
２３２  液体流入管路
２３３  負圧管路
２４０  挿入部
２４１  吸入管路
２４２  送気送液管路
２４３  第１の送気送液口
２４４  照明レンズ
２４５  吸入口
２４６  遠位端部
２４７  信号ケーブル
２４９  遠位端面
２５０  ＣＣＤユニット
２５１  観察窓
２５２  絞り板
２５３  対物レンズ
２５４  遮光マスク
２５５  カバーガラス
２５６  ＣＣＤ
２５７  基板
２５８  ケーシング
２６０  第１の送気送液ノズル
２６１  第１の挿入管部
２６２  第１の蓋部
２６３  第１の噴出管路
２７０  第１のリング
２７１  第１のリング外周
２７２  第１のリング内周
２７３  第１のバイパス管路
２７４  第１の拡大部
２７５  第１の導入部
２７６  第１のバイパス流出口
２７７  第１のバイパス流入口
３００  プロセッサ
【図１】
2013128660.tif 000003
【図２】
2013128660.tif 000004
【図３】
2013128660.tif 000005
【図４】
2013128660.tif 000006
【図５】
2013128660.tif 000007
【図６】
2013128660.tif 000008
【図７】
2013128660.tif 000009
【図８】
2013128660.tif 000010
【図９】
2013128660.tif 000011
【図１０】
2013128660.tif 000012
【図１１】
2013128660.tif 000013
【図１２】
2013128660.tif 000014
【図１３】
2013128660.tif 000015
【図１４】
2013128660.tif 000016
【図１５】
2013128660.tif 000017
【図１６】
2013128660.tif 000018
【図１７】
2013128660.tif 000019
【図１８】
2013128660.tif 000020
【図１９】
2013128660.tif 000021
【図２０】
2013128660.tif 000022
【図２１】
2013128660.tif 000023
【図２２】
2013128660.tif 000024
【図２３】
2013128660.tif 000025
【図２４】
2013128660.tif 000026